(57)【要約】      （修正有）【課題】便器本体の意匠性を向上させる大便器を提供する。【解決手段】大便器は、壁面に取り付けられる便器本体２を有し、壁面に設けられた排水配管に接続する排水接続管２２ａを有する排水部２２と、壁面に設けられた固定部材が取り付けられる取付部２３とを備え、壁面に向かい合う便器本体の背面壁２ａには、取付部が挿入される挿入孔２５と排水接続管２２ａとの間に、作業者が便器本体２内にアクセス可能な作業孔２６ｃが形成される。【選択図】図４
2020033819.tif 000002
【特許請求の範囲】
【請求項１】
壁面に取り付けられる便器本体を有する大便器であって、
前記壁面に設けられた排水配管に接続する排水接続管を有する排水部と、
前記壁面に設けられた固定部材が取り付けられる取付部と、
を備え、
前記壁面に向かい合う前記便器本体の背面壁には、
前記取付部が挿入される挿入孔と前記排水接続管との間に、作業者が前記便器本体内にアクセス可能な作業孔が形成される
ことを特徴とする大便器。
【請求項２】
前記背面壁は、
前記排水接続管の周囲に形成された凹部を備え、
前記作業孔は、
前記凹部に形成される
ことを特徴とする請求項１に記載の大便器。
【請求項３】
前記作業孔は、
前記凹部の側壁部、および前記凹部の底部に形成される
ことを特徴とする請求項２に記載の大便器。
【請求項４】
前記作業孔には、
給水ホース、および電源ケーブルが挿入される
ことを特徴とする請求項１〜３のいずれか一つに記載の大便器。
【請求項５】
前記作業孔は、
上下方向に沿って形成される
ことを特徴とする請求項１〜４のいずれか一つに記載の大便器。
【請求項６】
前記作業孔は、
水平方向外側における前記作業孔の外周端が、前記水平方向外側における前記挿入孔の外周端よりも内側となるように形成される
ことを特徴とする請求項１〜５のいずれか一つに記載の大便器。
【請求項７】
前記作業孔は、
前記挿入孔側となるにつれて開口面積が小さくなる
ことを特徴とする請求項１〜６のいずれか一つに記載の大便器。
【発明の詳細な説明】
【技術分野】
【０００１】
開示の実施形態は、大便器に関する。
【背景技術】
【０００２】
従来、便器本体を壁面に取り付ける際に使用する作業孔を便器本体の側面に形成し、作業後に作業孔を蓋で覆う壁掛け式の大便器が知られている（例えば、特許文献１参照）。
【先行技術文献】
【特許文献】
【０００３】
【特許文献１】欧州特許出願公開第２７７８３０２号明細書
【発明の概要】
【発明が解決しようとする課題】
【０００４】
しかしながら、上記大便器では、便器本体の側面に、便器本体とは別体である蓋が取り付けられるため、便器本体の外観美、すなわち意匠性について改善の余地がある。
【０００５】
実施形態の一態様は、便器本体の意匠性を向上させる大便器を提供することを目的とする。
【課題を解決するための手段】
【０００６】
実施形態の一態様に係る大便器は、壁面に取り付けられる便器本体を有する大便器であって、前記壁面に設けられた排水配管に接続する排水接続管を有する排水部と、前記壁面に設けられた固定部材が取り付けられる取付部と、を備え、前記壁面に向かい合う前記便器本体の背面壁には、前記取付部が挿入される挿入孔と前記排水接続管との間に、作業者が前記便器本体内にアクセス可能な作業孔が形成されることを特徴とする。
【０００７】
便器本体の背面壁において、挿入孔と排水接続管との間に作業孔が形成されることで、便器本体の側面に作業孔を設けずに、取り付け作業を行うことができ、便器本体を壁面に取り付けることができる。そのため、大便器は、便器本体の外観美を向上させ、便器本体の意匠性を向上させることができる。
【０００８】
また、前記背面壁は、前記排水接続管の周囲に形成された凹部を備え、前記作業孔は、前記凹部に形成されることを特徴とする。
【０００９】
作業孔が、凹部に形成されることで、作業者は、便器本体内に腕を容易に挿入することができ、例えば、取付部を容易に取り付けることができる。そのため、大便器は、施工性を向上させることができる。
【００１０】
また、前記作業孔は、前記凹部の側壁部、および前記凹部の底部に形成されることを特徴とする。
【００１１】
作業孔が、凹部の側壁、および凹部の底壁に形成されることで、作業者の腕の可動域を大きくすることができる。そのため、大便器は、施工性を向上させることができる。
【００１２】
また、前記作業孔には、給水ホース、および電源ケーブルが挿入されることを特徴とする。
【００１３】
作業孔にホース、および電源ケーブルを挿入することで、作業孔を、給水ホース、および電源ケーブルを挿入する孔としても使用することができる。
【００１４】
また、前記作業孔は、上下方向に沿って形成されることを特徴とする。
【００１５】
作業孔が、上下方向に沿って形成されることで、便器本体を壁面に取り付ける際に、例えば、給水ホースが水平方向に撓むことを抑制することができる。そのため、大便器は、給水ホースなどが便器本体と壁面との間に挟まれることを抑制することができる。
【００１６】
また、前記作業孔は、水平方向外側における前記作業孔の外周端が、前記水平方向外側における前記挿入孔の外周端よりも内側となるように形成されることを特徴とする。
【００１７】
水平方向外側における作業孔の外周端が、水平方向外側における挿入孔の外周端よりも内側となるように作業孔が形成されることで、水平方向における背面壁の肉厚を確保することができる。そのため、大便器は、強度を高めることができる。
【００１８】
また、前記作業孔は、前記挿入孔側となるにつれて開口面積が小さくなることを特徴とする。
【００１９】
作業孔の開口面積を挿入孔側となるにつれて小さくすることで、挿入孔付近の肉厚を確保することができる。そのため、大便器は、強度を高めることができる。
【発明の効果】
【００２０】
実施形態の一態様によれば、便器本体の意匠性を向上させることができる。
【図面の簡単な説明】
【００２１】
【図１】図１は、実施形態に係る大便器の左側面図である。
【図２】図２は、便器本体が取り付けられる壁面の斜視図である。
【図３】図３は、便器本体の背面図である。
【図４】図４は、便器本体の後方斜視図である。
【図５】図５は、図３のV−V断面図である。
【発明を実施するための形態】
【００２２】
以下、添付図面を参照して、本願の開示する大便器の実施形態を詳細に説明する。なお、以下に示す実施形態によりこの発明が限定されるものではない。また、図面は模式的なものであり、各要素の寸法の関係、各要素の比率などは、現実と異なる場合があることに留意する必要がある。図面の相互間においても、互いの寸法の関係や比率が異なる部分が含まれている場合がある。
【００２３】
＜大便器の全体構成＞
まず、図１を参照して実施形態に係る大便器１の全体構成について説明する。図１は、実施形態に係る大便器１の左側面図である。なお、図１には、大便器１を壁面１０に取り付けた状態を示している。また、図１では、壁面１０および床面１１を断面で示している。
【００２４】
また、図１には、説明をわかりやすくするために、鉛直上向きを正方向とするＺ軸を含む３次元の直交座標系を図示している。かかる直交座標系は、他の図においても図示している場合がある。かかる直交座標系では、Ｙ軸の負方向を前方、Ｙ軸の正方向を後方、Ｘ軸の正方向を右方、Ｘ軸の負方向を左方と規定している。このため、以下の説明において、Ｘ軸方向を左右方向、Ｙ軸方向を前後方向、Ｚ軸方向を上下方向という場合がある。
【００２５】
また、実施形態に係る大便器１は、壁面１０に取り付けられる、いわゆる壁掛け式の大便器である。なお、実施形態においては、大便器１として、水洗式の大便器（水洗大便器）を例示している。
【００２６】
大便器１は、便器本体２と、局部洗浄装置３とを備える。便器本体２は、例えば、陶器製である。便器本体２の詳細については、後述する。
【００２７】
局部洗浄装置３は、洗浄ノズル、ノズル駆動用モータ、モータ制御装置（いずれも不図示）などを有する機能部４を備える。局部洗浄装置３は、使用者の局部洗浄用として便器本体２の上部に設けられ、洗浄ノズルから噴出させた洗浄水によって使用者の局部を洗浄する。
【００２８】
大便器１は、上記したように、壁面１０に取り付けられる。大便器１を壁面１０に取り付けた状態では、大便器１は、床面１１とは離間している。壁面１０の内側には、洗浄水を貯留する貯水タンク１２が設けられる。なお、「壁面１０の内側」とは、壁面１０における大便器１が設置される室（トイレ室）とは反対の面側を意味する。
【００２９】
大便器１は、貯水タンク１２に接続された給水配管１３を経て、便器本体２に洗浄水が供給される。また、大便器１は、汚物を洗浄水と共に便器本体２から排水配管１４へ排出する。
【００３０】
大便器１が取り付けられる壁面１０には、図２に示すように、給水配管１３と、排水配管１４と、給水ホース１５と、電源ケーブル１６と、固定部材１７とが設けられる。図２は、便器本体２が取り付けられる壁面１０の斜視図である。
【００３１】
給水配管１３は、接続部１３ａを介して便器本体２の給水接続管２１ａ（図３、および図参照）が接続され、貯水タンク１２から便器本体２に洗浄水を供給する。
【００３２】
排水配管１４は、接続部１４ａを介して便器本体２の排水接続管２２ａ（図３、および図参照）が接続され、便器本体２から汚物を洗浄水と共に排出する。
【００３３】
給水ホース１５は、局部洗浄装置３に局部洗浄用の洗浄水を供給する。電源ケーブル１６は、機能部４に電力を供給する。
【００３４】
なお、大便器１においては、給水ホース１５や、電源ケーブル１６を便器本体２の内部に収納することで外部に見せないように隠蔽することが知られている。これにより、便器本体２の外観美を向上させることができる。すなわち、便器本体２の意匠性を向上させることができる。
【００３５】
固定部材１７は、壁面１０から前方に向けて突出し、大便器１の便器本体２が取り付けられる。なお、固定部材１７は、左右方向に予め規定された間隔を空けて２箇所設けられる。
【００３６】
＜便器本体の構成＞
次に、便器本体２について図３〜図５を参照し説明する。図３は、便器本体２の背面図である。図４は、便器本体２の後方斜視図である。図５は、図３のV−V断面図である。
【００３７】
便器本体２は、ボウル部２０と、給水部２１と、排水部２２と、取付部２３とを備える。便器本体２の上面には挿通孔２４が形成される。また、陶器製の便器本体２において、ボウル部２０の全周を覆い、便器本体２の最外表面を構成する側面（いわゆる、袴部）は、便器本体２の全周に亘って陶器が露出するように構成されており、外観意匠性を向上させている。
【００３８】
ボウル部２０は、汚物を受けるボウル形状の受け面を備える。ボウル部２０には、給水配管１３（図１、および図２参照）、および給水部２１を介して貯水タンク１２（図１参照）から洗浄水が供給される。また、ボウル部２０は、排水部２２を介して汚物を洗浄水と共に排水配管１４（図１、および図２参照）へ排出する。
【００３９】
給水部２１は、接続部１３ａ（図２参照）に接続される給水接続管２１ａを備える。給水接続管２１ａの給水口２１ｂは、左右方向（水平方向）の中央付近に形成される。すなわち、給水接続管２１ａは、左右方向の中央付近に開口する。
【００４０】
排水部２２は、ボウル部２０の下端と排水配管１４とを連通させ、汚物を洗浄水と共に排水配管１４へ排出する。排水部２２は、接続部１４ａに接続される排水接続管２２ａを備える。排水接続管２２ａの排水口２２ｂは、左右方向の中央付近であり、給水口２１ｂよりも下方に形成される。なお、排水部２２には、溜水が形成されるトラップ部２２ｃがボウル部２０の下端と排水接続管２２ａとの間に形成される。
【００４１】
取付部２３は、第１取付部材２３ａと、第２取付部材２３ｂとを備える。第１取付部材２３ａは、便器本体２の背面壁２ａに形成された挿入孔２５に挿入される。第２取付部材２３ｂは、便器本体２内に設けられ、第１取付部材２３ａが取り付けられる。第１取付部材２３ａ、および第２取付部材２３ｂには、固定部材１７（図２参照）が挿入される取付孔２３ｃが形成される。また、第２取付部材２３ｂには、ネジ（不図示）が螺合するネジ孔２３ｄが形成される。ネジ孔２３ｄは、上下方向に沿って形成される。
【００４２】
取付部２３では、固定部材１７が取付孔２３ｃに挿入された状態でネジが締め付けられることで、ネジが固定部材１７に係合する。これにより、便器本体２が固定部材１７に固定される。
【００４３】
なお、固定部材１７に対する便器本体２の取り付け方法は、上記取付部２３を用いた方法に限られることはない。
【００４４】
挿通孔２４には、便器本体２の内部に引き回された給水ホース１５（図１、および図２参照）、および電源ケーブル１６（図１、および図２参照）が挿通される。給水ホース１５、および電源ケーブル１６は、挿通孔２４を介して便器本体２の内部から便器本体２の上面に引き出され、局部洗浄装置３（図１参照）に接続される。
【００４５】
また、壁面１０と向かい合う便器本体２の背面壁２ａには、挿入孔２５と、凹部２６とが形成される。挿入孔２５には、上記したように取付部２３が取り付けられる。
【００４６】
凹部２６は、接続部１４ａに排水接続管２２ａを取り付けるため、前方（Ｙ軸負方向）、すなわち便器本体２内に向けて窪むように形成される。凹部２６は、排水接続管２２ａの周囲に形成され、底部２６ａと、側壁部２６ｂとを備える。凹部２６は、排水接続管２２ａが、底部２６ａから、後方（Ｙ軸正方向）、すなわち壁面１０側に向けて突出するように形成される。
【００４７】
また、凹部２６には、便器本体２を壁面１０に取り付ける前の状態で、作業者が背面側から手を挿入し、便器本体２内にアクセス可能となるように作業孔２６ｃが形成される。具体的には、作業孔２６ｃは、凹部２６の底部２６ａと凹部２６の側壁部２６ｂとにわたり形成される。
【００４８】
作業孔２６ｃは、左右方向において排水接続管２２ａに隣接し、排水接続管２２ａの両側に形成される。また、作業孔２６ｃは、上下方向に沿って形成される。上方側の作業孔２６ｃは、排水接続管２２ａと挿入孔２５との間まで延びるように形成される。また、作業孔２６ｃは、上方側、すなわち挿入孔２５側となるにつれて開口面積が小さくなるように形成される。また、作業孔２６ｃは、左右方向（水平方向）において、左右方向外側における作業孔２６ｃの外周端が、左右方向外側における挿入孔２５の外周端よりも内側となるように形成される。すなわち、凹部２６は、左右方向の両端に背面壁２ａが肉厚となるように形成される。
【００４９】
また、作業孔２６ｃには、給水ホース１５、および電源ケーブル１６が挿入される。すなわち、作業孔２６ｃは、壁面１０から給水ホース１５、および電源ケーブルが挿入される挿入孔としても機能する。
【００５０】
＜便器本体の取付手順＞
次に、便器本体２を壁面１０に取り付ける際の取付手順について説明する。
【００５１】
便器本体２を壁面１０に取り付ける場合には、まず、便器本体２に取付部２３を取り付ける。具体的には、作業者は、作業孔２６ｃから便器本体２内に腕を挿入し、第２取付部材２３ｂを配置し、挿入孔２５に第１取付部材２３ａを挿入し、第１取付部材２３ａを第２取付部材２３ｂに取り付ける。
【００５２】
作業孔２６ｃは、排水接続管２２ａと挿入孔２５との間に形成されている。そのため、作業者は、第２取付部材２３ｂを挿入孔２５の裏側（便器本体２内）の所定の取付位置に容易に配置することができる。
【００５３】
また、作業孔２６ｃは、凹部２６の底部２６ａと凹部２６の側壁部２６ｂにかけて形成されている。そのため、作業者の腕の可動域を大きくすることができ、作業者が、容易に取付部２３を便器本体２に取り付けることができる。
【００５４】
次に、給水ホース１５、および電源ケーブル１６を便器本体２の上面に引き出す。具体的には、作業者は、給水ホース１５、および電源ケーブル１６を作業孔２６ｃに挿入し、作業孔２６ｃから便器本体２内に腕を挿入し、給水ホース１５、および電源ケーブル１６を挿通孔２４から上面に引き出す。
【００５５】
作業孔２６ｃが、排水接続管２２ａと挿入孔２５との間に形成され、凹部２６の底部２６ａと凹部２６の側壁部２６ｂにかけて形成されている。そのため、作業者は、取付部２３の取り付け時と同様に、給水ホース１５、および電源ケーブル１６を挿通孔２４から上面に容易に引き出すことができる。
【００５６】
次に、便器本体２を固定部材１７に取り付ける。具体的には、作業者は、固定部材１７を便器本体２の挿入孔２５に挿入する。そして、作業者は、便器本体２の下方から治具によってネジを締め付け、便器本体２を固定部材１７に固定する。
【００５７】
作業孔２６ｃが、上下方向に沿って形成されることで、便器本体２を固定部材１７に取り付ける際に、給水ホース１５や、電源ケーブル１６が左右方向（水平方向）に撓むことを抑制することができる。そのため、便器本体２と壁面１０との間に、給水ホース１５や、電源ケーブル１６が挟み込まれることを抑制することができる。
【００５８】
以上の手順によって、便器本体２が壁面１０に取り付けられる。
【００５９】
＜効果＞
実施形態に係る大便器１では、壁面１０に向かい合う便器本体２の背面壁２ａに、作業者が便器本体２内にアクセス可能な作業孔２６ｃが形成される。作業孔２６ｃは、固定部材１７が取り付けられる取付部２３が挿入される挿入孔２５と、排水配管１４に接続される排水接続管２２ａとの間に形成される。これにより、便器本体２を壁面１０に取り付ける場合に、作業者は、作業孔２６ｃから便器本体２内に腕を挿入し、取付部２３を便器本体２に容易に取り付けることができる。また、作業者は、作業孔２６ｃに腕を挿入し、給水ホース１５や、電源ケーブル１６を挿通孔２４から容易に引き出すことができる。すなわち、大便器１は、施工性を向上させることができる。
【００６０】
また、大便器１は、便器本体２の側面に作業孔を設けずに、取り付け作業を行い、便器本体２を壁面１０に取り付けることができる。そのため、大便器１は、便器本体２に作業孔を覆う蓋を設ける必要がなく、便器本体２の外観美を向上させ、意匠性を向上させることができる。
【００６１】
また、作業孔２６ｃは、排水接続管２２ａの周囲に形成された凹部２６に形成される。これにより、作業者は、便器本体２内に容易に腕を挿入することができ、例えば、取付部２３の第２取付部材２３ｂを所定の取付位置に容易に配置することができ、取付部２３を容易に取り付けることができる。そのため、大便器１は、施工性を向上させることができる。
【００６２】
また、作業孔２６ｃは、凹部２６の底部２６ａと、凹部２６の側壁部２６ｂとにかけて形成される。これにより、大便器１は、作業者の腕の可動域を大きくすることができる。そのため、作業者は、例えば、取付部２３の第２取付部材２３ｂを所定の取付位置に容易に配置することができる。従って、大便器１は、施工性を向上せることができる。
【００６３】
また、作業孔２６ｃには、給水ホース１５、および電源ケーブル１６が挿入される。これにより、作業孔２６ｃを給水ホース１５、および電源ケーブル１６が挿入される孔としても使用することができる。
【００６４】
また、作業孔２６ｃは、上下方向に沿って形成される。これにより、大便器１は、便器本体２を壁面１０に取り付ける際に、給水ホース１５や、電源ケーブル１６が左右方向に撓むことを抑制することができる。そのため、大便器１は、便器本体２と壁面１０との間に、給水ホース１５や、電源ケーブル１６が挟み込まれることを抑制することができる。また、大便器１は、作業孔２６ｃを挿入孔２５側まで延設することができる。そのため、例えば、取付部２３の第２取付部材２３ｂを所定の取付位置に配置する場合に、作業者が腕を挿入孔２５付近まで挿入することができ、施工性を向上させることができる。
【００６５】
また、作業孔２６ｃは、左右方向外側における前記作業孔２６ｃの外周端が、左右方向外側における挿入孔２５の外周端よりも内側となるように形成される。これにより、大便器１は、左右方向における背面壁２ａの肉厚を確保することができ、便器本体２の強度を高めることができる。
【００６６】
また、作業孔２６ｃは、挿入孔２５側となるにつれて開口面積が小さくなる。これにより、大便器１は、挿入孔２５付近の肉厚を確保することができ、便器本体２の強度を高めることができる。
【００６７】
＜変形例＞
変形例に係る大便器１は、作業孔２６ｃの一部を凹部２６の周囲まで延ばして形成してもよい。これにより、変形例に係る大便器１は、作業者の腕の可動域を大きくすることができ、施工性を向上させることができる。
【００６８】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００６９】
１      大便器
２      便器本体
２ａ    背面壁
１０    壁面
１４    排水配管
１５    給水ホース
１６    電源ケーブル
１７    固定部材
２１    給水部
２２    排水部
２２ａ  排水接続管
２３    取付部
２３ａ  第１取付部材
２３ｂ  第２取付部材
２４    挿通孔
２５    挿入孔
２６    凹部
２６ａ  底部
２６ｂ  側壁部
２６ｃ  作業孔
【図１】
2020033819.tif 000003
【図２】
2020033819.tif 000004
【図３】
2020033819.tif 000005
【図４】
2020033819.tif 000006
【図５】
2020033819.tif 000007